(57)【特許請求の範囲】
【請求項１】
自端末の姿勢を検出する姿勢検出機能を備えた携帯型情報処理端末を、風呂給湯器の運転に関する指示を使用者から受け付ける機能および前記風呂給湯器の運転状態を表示する機能を備えた風呂給湯器リモートコントローラとして動作させるアプリケーションプログラムであって、
前記携帯型情報処理端末を
当該アプリケーションプログラムによって前記風呂給湯器リモートコントローラの操作画面を表示して前記風呂給湯器リモートコントローラとして動作中の自端末が横長の姿勢になったとき、給湯設定温度を排他的に設定することのできる優先権を取得する、もしくは前記優先権の取得を指示する操作をユーザから受ける優先スイッチを表示する
ように動作させる
ことを特徴とするアプリケーションプログラム。
【請求項２】
前記携帯型情報処理端末を
前記優先権を取得した後は、当該アプリケーションプログラムがバックグラウンドで動作する状態、もしくは、自端末が縦長の姿勢に変化しても、前記優先権を保持し続ける、
ように動作させる
ことを特徴とする請求項１に記載のアプリケーションプログラム。
【請求項３】
前記携帯型情報処理端末を
前記優先権を保持しているときに、他の風呂給湯器リモートコントローラが前記優先権を取得しようとしたとき、自端末の表示部にその旨を表示する、
ように動作させる
ことを特徴とする請求項１または２に記載のアプリケーションプログラム。
【請求項４】
前記携帯型情報処理端末を、
自端末が前記優先権を保持しているときに、当該アプリケーションプログラムを閉じる操作を受けたとき、もしくは、前記優先権の解除の操作を受け付けたとき、前記優先権の保持を解除する、
ように動作させる
ことを特徴とする請求項１乃至３のいずれか１つに記載のアプリケーションプログラム。
【請求項５】
前記優先権を取得する際に、自装置に前記優先権を設定するように前記風呂給湯器に要求する
ことを特徴とする請求項１乃至４のいずれか１つに記載のアプリケーションプログラム。
【請求項６】
請求項５に記載のアプリケーションプログラムによって風呂給湯器リモートコントローラとして動作している携帯型情報処理端末から前記要求を受けたとき、前記優先権を保持している風呂給湯器リモートコントローラが無ければ前記要求の送信元の携帯型情報処理端末に前記優先権を設定する
ことを特徴とする風呂給湯器。
【請求項７】
請求項５に記載のアプリケーションプログラムによって風呂給湯器リモートコントローラとして動作している携帯型情報処理端末から前記要求を受けたときに、他の風呂給湯器リモートコントローラが前記優先権を保持している場合は、前記優先権を保持している風呂給湯器リモートコントローラの表示部に他の風呂給湯器リモートコントローラが前記優先権を要求している旨を表示させる
ことを特徴とする風呂給湯器。
【請求項８】
他の風呂給湯器リモートコントローラが前記優先権を要求している旨を表示させた風呂給湯器リモートコントローラから前記優先権を解除する通知を受けたら、前記優先権を、前記要求の送信元の携帯型情報処理端末に移す
ことを特徴とする請求項７に記載の風呂給湯器。
【発明の詳細な説明】
【技術分野】
【０００１】
本発明は、携帯型情報処理端末を、風呂給湯器のリモートコントローラとして動作させるアプリケーションプログラム、および該アプリケーションプログラムによって風呂給湯器リモートコントローラとして動作する携帯型情報処理端末が接続される風呂給湯器に関する。
【背景技術】
【０００２】
近年、タブレット端末やスマートフォンなどの携帯型情報処理端末として、防水型のものが普及しており、ユーザは、浴室に持ち込んだタブレット端末でインターネットの閲覧を楽しむ、といったことが可能になっている。タブレット端末は、縦長の姿勢で使用されているか、横長の姿勢で使用されているかを検出し、使用中の姿勢に応じた画面を表示する機能を備えている（たとえば、特許文献１参照）。
【０００３】
ところで、従来は風呂給湯器のリモートコントローラとして、メーカが専用のリモートコントローラ（以後、リモコンとも略す）を準備していたが、ユーザが既に所有している防水型の携帯型情報処理端末に風呂給湯器用のアプリケーションプログラム（以後、風呂給湯器アプリと略す）をインストールし、当該携帯型情報処理端末を風呂給湯器のリモートコントローラとして利用すれば、専用のリモートコントローラが不要になり、風呂給湯器の導入コストを抑えることができる。
【０００４】
風呂給湯器においては、台所の壁面にメインのリモートコントローラ（台所用リモコン）が設置され、浴室の壁面に浴室用のサブのリモートコントローラ（風呂リモコン）が設置されるのが通常である。給湯設定温度は、ユーザの知らぬ間に変更されないように、台所用リモコンと風呂リモコンのいずれか一方のみで排他的に設定変更可能になっている。通常は、風呂リモコンが給湯設定温度を設定変更する権利（優先権）を有しており、風呂リモコンで運転スイッチが押下される、又は優先スイッチが押下されると優先権が風呂リモコンに設定され、風呂リモコンの優先スイッチが再度押下されると（優先権をＯＦＦ＝放棄すると）、優先権が台所リモコンに移行するように制御される。台所リモコンが優先権を有すためには、風呂リモコンの運転スイッチに先駆けて運転スイッチを押下した場合のみで、その場合であっても、風呂リモコンで優先スイッチが押下されると優先権が風呂リモコンに移行する。風呂リモコンに優先権が設定されているときは、台所リモコンで給湯設定温度を変更できなくなり、シャワーを浴びているときに台所リモコン側の操作によって給湯設定温度が変更されて高温の湯が出てしまう、といった事態の発生が防止される。
【先行技術文献】
【特許文献】
【０００５】
【特許文献１】特開２０１３−１７１５８４号公報
【発明の概要】
【発明が解決しようとする課題】
【０００６】
タブレットは、従来の壁面に設置される専用のリモートコントローラと異なり、自由に持ち運びができるため、様々な場所で使用され得る。たとえば、浴室以外に、台所やリビング、各自の個室などに持って行って利用される。タブレットに風呂給湯器アプリをインストールして該タブレットを風呂給湯器のリモートコントローラとして機能させる場合、浴室に持ち込まれたタブレットに優先権を設定したり、浴室に持ち込まれたタブレットに優先権を取得するための優先スイッチを設けたりしなければならない。
【０００７】
タブレットの使用場所が浴室内であることを特定するために、場所を測位するＧＰＳ機能を利用することも考えられるが、ＧＰＳ機能ではタブレットが浴室にあるか否かを正確に判断するほどの位置精度は出ない。また、ＧＰＳ機能では、たとえ高精度化されたとしても、一階の台所の真上の２階に浴室があるような間取りでは、台所と浴室を区別できない。
【０００８】
本発明は、上記の問題を解決しようとするものであり、浴室に持ち込まれた場合に給湯設定温度を排他的に設定するための優先権を取得することのできる風呂給湯器リモートコントローラとして携帯型情報処理端末を動作させるアプリケーションプログラムおよび該携帯型情報処理端末が接続される風呂給湯器を提供することを目的としている。
【課題を解決するための手段】
【０００９】
かかる目的を達成するための本発明の要旨とするところは、次の各項の発明に存する。
【００１０】
［１］自端末の姿勢を検出する姿勢検出機能を備えた携帯型情報処理端末を、風呂給湯器の運転に関する指示を使用者から受け付ける機能および前記風呂給湯器の運転状態を表示する機能を備えた風呂給湯器リモートコントローラとして動作させるアプリケーションプログラムであって、
前記携帯型情報処理端末を
当該アプリケーションプログラムによって前記風呂給湯器リモートコントローラの操作画面を表示して前記風呂給湯器リモートコントローラとして動作中の自端末が横長の姿勢になったとき、給湯設定温度を排他的に設定することのできる優先権を取得する、もしくは前記優先権の取得を指示する操作をユーザから受ける優先スイッチを表示する
ように動作させる
ことを特徴とするアプリケーションプログラム。
【００１１】
上記発明では、当該アプリケーションプログラムによって風呂給湯器リモートコントローラとしてその操作画面を表示する状態で動作しているときに、自端末（当該アプリケーションプログラムが動作している携帯型情報処理端末）が横長の姿勢になったとき、給湯設定温度を排他的に設定することのできる優先権を取得する、もしくは優先権を取得するための操作をユーザから受ける優先スイッチを表示する。すなわち、風呂給湯器の操作画面を表示中に横長の姿勢になったとき、風呂給湯器リモートコントローラとして動作中の自端末が浴室で使用されていると推定して、給湯設定温度を排他的に設定することのできる優先権の取得、もしくは優先スイッチの表示を行う。優先権の取得する任意は適宜でよい。たとえば、風呂給湯器やマスタの風呂給湯器リモートコントローラに対して優先権の取得を要求して優先権を取得する、あるいは、他の風呂給湯器リモートコントローラと調停あるいは協調動作して優先権を取得する、などの方法が考えられる。優先スイッチを表示する場合には、優先スイッチが押下されたら優先権を取得する。
【００１２】
［２］前記携帯型情報処理端末を
前記優先権を取得した後は、当該アプリケーションプログラムがバックグラウンドで動作する状態、もしくは、自端末が縦長の姿勢に変化しても、前記優先権を保持し続ける、
ように動作させる
ことを特徴とする［１］に記載のアプリケーションプログラム。
【００１３】
上記発明では、一旦、優先権を取得すると、当該アプリケーションプログラムがバックグラウンドで動作する状態になっても、あるいは自端末が縦長の姿勢に変化しても、優先権を保持し続けるように動作する。たとえば、浴室で使用中のユーザが当該携帯型情報処理端末で他のアプリ（たとえば、インターネットのWebページを閲覧するためのブラウザなど）を稼働させた場合、当該アプリケーションプログラムがバックグラウンドに移行し、また、端末が縦長の姿勢に変更されて使用されることが多い。そこで、そのような状態になっても、優先権の保持を継続する。
【００１４】
［３］前記携帯型情報処理端末を
前記優先権を保持しているときに、他の風呂給湯器リモートコントローラが前記優先権を取得しようとしたとき、自端末の表示部にその旨を表示する、
ように動作させる
ことを特徴とする［１］または［２］に記載のアプリケーションプログラム。
【００１５】
上記発明では、浴室から出たユーザが優先権を解除し忘れることもあるため、自端末が優先権を保持しているときに、浴室で使用中の他の風呂給湯器リモートコントローラが優先権を取得しようとした場合に、自端末の表示部にその旨を表示して、優先権の不必要な保持を解除するように促す。
【００１６】
［４］前記携帯型情報処理端末を、
自端末が前記優先権を保持しているときに、当該アプリケーションプログラムを閉じる操作を受けたとき、もしくは、前記優先権の解除の操作を受け付けたとき、前記優先権の保持を解除する、
ように動作させる
ことを特徴とする［１］乃至［３］のいずれか１つに記載のアプリケーションプログラム。
【００１７】
［５］前記優先権を取得する際に、自装置に前記優先権を設定するように前記風呂給湯器に要求する
ことを特徴とする［１］乃至［４］のいずれか１つに記載のアプリケーションプログラム。
【００１８】
上記発明では、どの風呂給湯器リモートコントローラに優先権を設定するかの制御を風呂給湯器が行うシステムにおいては、風呂給湯器に対して優先権の取得を要求する。
【００１９】
［６］［５］に記載のアプリケーションプログラムによって風呂給湯器リモートコントローラとして動作している携帯型情報処理端末から前記要求を受けたとき、前記優先権を保持している風呂給湯器リモートコントローラが無ければ前記要求の送信元の携帯型情報処理端末に前記優先権を設定する
ことを特徴とする風呂給湯器。
【００２０】
上記発明では、風呂給湯器が優先権の設定を制御する。風呂給湯器はいずれかの風呂給湯器リモートコントローラから優先権の取得の要求を受けたとき、既に優先権を保持している風呂給湯器リモートコントローラが無ければ、優先権の取得の要求元の携帯型情報処理端末（風呂給湯器リモートコントローラ）に優先権を設定する。
【００２１】
［７］［５］に記載のアプリケーションプログラムによって風呂給湯器リモートコントローラとして動作している携帯型情報処理端末から前記要求を受けたときに、他の風呂給湯器リモートコントローラが前記優先権を保持している場合は、前記優先権を保持している風呂給湯器リモートコントローラの表示部に他の風呂給湯器リモートコントローラが前記優先権を要求している旨を表示させる
ことを特徴とする風呂給湯器。
【００２２】
上記発明では、浴室から出たユーザが優先権を解除し忘れることもあるため、いずれかの風呂給湯器リモコンが優先権を保持している状態で他の風呂給湯器リモートコントローラから優先権の取得の要求を受けたとき、優先権を保持している端末の表示部に、他の風呂給湯器リモートコントローラが優先権の取得を要求している旨を表示して、優先権の不必要な保持を解除するように促す。
【００２３】
［８］他の風呂給湯器リモートコントローラが前記優先権を要求している旨を表示させた風呂給湯器リモートコントローラから前記優先権を解除する通知を受けたら、前記優先権を、前記要求の送信元の携帯型情報処理端末に移す
ことを特徴とする［７］に記載の風呂給湯器。
【００２４】
上記発明では、他の風呂給湯器リモートコントローラが優先権の取得を要求している旨の通知を受けた優先権保持中の風呂給湯器リモートコントローラから優先権の解除の通知を受けたら、優先権の取得の要求元の端末に優先権を移行させる。これにより、他の風呂給湯器リモートコントローラが優先権を保持しているときに優先権の取得を要求した風呂給湯器リモートコントローラは、他の風呂給湯器リモートコントローラが優先権を解除した後に改めて優先権の取得の要求を行うことなく、優先権を取得することができる。
【発明の効果】
【００２５】
本発明に係るアプリケーションプログラムおよび風呂給湯器によれば、風呂給湯器のリモートコントローラとして動作する携帯型情報処理端末が、浴室に持ち込まれたときに、給湯設定温度を排他的に設定するための優先権を、該携帯型情報処理端末に設定することができる。
【図面の簡単な説明】
【００２６】
【図１】本発明の実施の形態に係るアプリケーションプログラムがインストールされた携帯型情報処理端末と風呂給湯器とを含む風呂給湯システムの構成例を示す図である。
【図２】本発明の実施の形態に係るアプリケーションプログラムがインストールされた携帯型情報処理端末の概略構成を示すブロック図である。
【図３】風呂給湯器のリモートコントローラとして動作中の携帯型情報処理端末を縦長の姿勢で使用する場合に表示される第１リモコン画面の一例を示す図である。
【図４】風呂給湯器のリモートコントローラとして動作中の携帯型情報処理端末を横長の姿勢で使用する場合に表示される第１リモコン画面の一例を示す図である。
【図５】情報表示エリアに警告メッセージが表示された状態の風呂給湯器リモコンを示す図である。
【図６】優先権を取れなかった理由等を示すメッセージが情報表示エリアに表示された状態の風呂給湯器リモコンを示す図である。
【図７】優先権の取得に関して風呂給湯器アプリが行う制御を示す流れ図である。
【図８】優先権を保持しているときに風呂給湯器アプリが行う制御を示す流れ図である。
【図９】優先権の設定・解除に関する風呂給湯器の動作を示す流れ図である。
【発明を実施するための形態】
【００２７】
以下、図面に基づき本発明の実施の形態を説明する。
【００２８】
図１は、本発明の実施の形態に係る風呂給湯器システム４の構成例を示している。風呂給湯器システム４は、風呂給湯器５と、１または複数台のタブレット端末やスマートフォンなどの携帯型情報処理端末１０とから構成される。携帯型情報処理端末１０には、該携帯型情報処理端末１０を、風呂給湯器５のリモートコントローラとして機能させるためのアプリケーションプログラム（風呂給湯器アプリと略する）がインストールされている。
【００２９】
風呂給湯器５は、給水を加熱して所定の出湯栓３（たとえば、浴室内のシャワーや台所の水栓）へ出湯する機能、浴槽２へ注湯（湯張り）する機能、浴槽２内の湯水を追い焚きする機能などを備えている。
【００３０】
風呂給湯器５と携帯型情報処理端末１０は、無線ＬＡＮ（Local Area Network）や近距離無線通信による無線通信で接続されて各種の情報を授受する。例えば風呂給湯器５のゲートウエイアドレス（無線ＬＡＮルータのＬＡＮ側アドレス）と風呂給湯器リモートコントローラ（携帯型情報処理端末）１０のゲートウエイアドレスを一致させる（風呂給湯器５と風呂給湯器リモートコントローラ１０とをホームネットワークに接続する）。これにより、風呂給湯器５と風呂給湯器リモートコントローラ１０は無線ルータを介した無線ＬＡＮを通じて通信する。
【００３１】
同じホームネットワークに接続されることで、風呂給湯器５と携帯型情報処理端末１０とが紐付けされる。なお、風呂給湯器５と携帯型情報処理端末１０との紐付けは他の方法で行われてもよい。たとえば、風呂給湯器５に携帯型情報処理端末１０のＩＰアドレスや識別情報を登録することで紐付ける。
【００３２】
携帯型情報処理端末１０は、風呂給湯器アプリを使用することで、風呂給湯器５のリモートコントローラとして機能する。すなわち、風呂給湯器５の運転に関する指示を使用者から受け付ける機能および風呂給湯器５の運転状態を表示する機能などを果たす。たとえば、給湯設定温度の設定変更、風呂設定温度の設定変更、風呂に自動湯張りを行う時刻の予約設定、風呂の自動運転（浴槽２に注湯し、風呂設定温度に保持する機能）のオン／オフ、などの指示を受け付けたり、これらに関する情報やエラー情報を表示したりする。
【００３３】
風呂給湯器５のリモコンとして機能する携帯型情報処理端末１０は、使用者から受け付けた設定や指示の内容を風呂給湯器５に送信する。また、風呂給湯器５から各種の情報を受信して表示する。
【００３４】
図２は、携帯型情報処理端末１０の構成を示している。携帯型情報処理端末１０は、当該携帯型情報処理端末１０の動作を統括制御する制御部としてのＣＰＵ（Central Processing Unit）１１を備えている。ＣＰＵ１１には、ＲＯＭ（Read Only Memory）１２、ＲＡＭ（Random Access Memory）１３、不揮発メモリ１４、操作部１５、表示部１６、通信部１７、姿勢検出部１８、音声入出力部１９、などが接続されている。
【００３５】
ＲＯＭ１２には、各種の固定データが格納される。不揮発メモリ１４は、電源をオフにしても記憶内容を保持する書き換え可能なメモリであり、ＯＳ（Operating System）のプログラム、風呂給湯器アプリを含む各種のアプリケーションプログラム、各種の設定内容などが記憶される。
【００３６】
ＣＰＵ１１が不揮発メモリ１４に格納された風呂給湯器アプリを実行することで、携帯型情報処理端末１０は風呂給湯器５のリモートコントローラとして機能する。ＲＡＭ１３はＣＰＵ１１がアプリケーションプログラムを実行する際に各種のデータを一時的に格納するワークメモリや表示データを一時記憶するメモリとして使用される。
【００３７】
表示部１６は、操作画面や設定画面など任意の内容の画面を表示可能な液晶ディスプレイなどで構成される。操作部１５は、ユーザから各種の操作を受け付ける機能を果たす。操作部１５は、表示部１６の表示面上に設けられ、指やペンなどによって押下された位置を検出するタッチパネル１５ａのほか、少数のハードキーなどで構成される。
【００３８】
通信部１７は、無線ＬＡＮや近距離無線通信によって風呂給湯器５や他の外部装置と通信する機能を果たす。
【００３９】
姿勢検出部１８は、ジャイロ（角度センサ）を利用して携帯型情報処理端末１０の姿勢を検出する。姿勢検出部１８により、携帯型情報処理端末１０が縦長の姿勢（向き）で使用されているか、横長の姿勢（向き）で使用されているか等が検出される。
【００４０】
音声入出力部１９は、音波を捉えて電気信号に変換するマイク、電気的な音声信号を音波に変換して出力するためのアンプやスピーカなどで構成される。
【００４１】
図３は、風呂給湯器のリモートコントローラとして動作中の携帯型情報処理端末１０を縦長の姿勢で使用する場合に該携帯型情報処理端末１０の表示部１６に表示される第１リモコン画面３０の一例を示している。第１リモコン画面３０は、台所リモコンを模したものになっている。
【００４２】
第１リモコン画面３０には、給湯設定温度や現在時刻などが表示される情報表示エリア３１、風呂の自動運転のオンオフを指示する操作を受け付けるための自動ボタン３２、給湯設定温度を変更する操作を受け付けるための上下ボタン３３、風呂給湯器５の運転の入り切りを指示する操作を受け付けるための運転ボタン３４、風呂の追い焚きを指示する操作を受け付けるためのおいだきボタン３５、外部との通話の開始、終了を指示する操作を受け付けるための通話ボタン３６などの各種の操作ボタンが配置されている。
【００４３】
図４は、風呂給湯器のリモートコントローラとして動作中の携帯型情報処理端末１０を横長の姿勢で使用する場合に表示される第２リモコン画面４０の一例を示している。第２リモコン画面４０は、従来の風呂リモコンを模したものになっている。
【００４４】
第２リモコン画面４０には、給湯設定温度や風呂設定温度、現在時刻などが表示される情報表示エリア４１、風呂の自動運転のオンオフを指示する操作を受け付けるための自動ボタン４２、給湯設定温度や風呂設定温度を変更する操作を受け付けるための上下ボタン４３、風呂給湯器５の運転の入り切りを指示する操作を受け付けるための運転ボタン４４、風呂の追い焚きを指示する操作を受け付けるおいだきボタン４５、外部との通話の開始、終了を指示する操作を受け付けるための通話ボタン４８などの各種の操作ボタンが配置されている。さらに第２リモコン画面４０には、優先権の取得と解除を指示する操作を受け付けるための優先切替ボタン４６が表示される。
【００４５】
本発明に係る風呂給湯器システム４では、風呂給湯器アプリがフォアグラウンド（第１リモコン画面３０あるいは第２リモコン画面４０が表示された状態）で動作する携帯型情報処理端末１０が横長の姿勢になったとき、該携帯型情報処理端末１０が給湯設定温度を排他的に設定することのできる優先権を自動的に取得する、もしくは優先権の取得を指示する操作をユーザから受けるための優先スイッチ（優先切替ボタン４６）をリモコン画面に表示する。
【００４６】
すなわち、風呂給湯器アプリは、当該風呂給湯器アプリがフォアグラウンド（第１リモコン画面３０あるいは第２リモコン画面４０が表示された状態）で動作中の携帯型情報処理端末１０が横長の姿勢になったとき、当該携帯型情報処理端末１０が浴室で使用されていると判定して、優先権を自動的に取得する、もしくは優先切替ボタン４６をリモコン画面に表示する。その理由は以下の通りである。
【００４７】
風呂給湯器５のリモートコントローラは、浴室で使用されるほか、台所などでも使用される。ユーザが浴室で携帯型情報処理端末１０を風呂給湯器５のリモートコントローラとして使用する場合、給湯設定温度を変更するなどの操作を行う間は携帯型情報処理端末１０を手に持つが、操作していないときは、携帯型情報処理端末１０をどこかに立て掛けて使用する。特に、浴槽に入浴中は、浴槽の縁に立てかけて使用するか、浴槽の一部を蓋で閉じ、その蓋の上に携帯型情報処理端末１０を置いて使用することになる。
【００４８】
住宅事情から浴室に割り当て可能な床面積は狭くなっており、その狭い浴室において、できるだけ浴槽の容量を大きくするために、浴槽の縁は細くなっている。そのため、浴槽の縁に縦長の向きで携帯型情報処理端末１０を立て掛けて使用すると、横長の向きで立て掛ける場合に比べて、携帯型情報処理端末１０が浴槽の縁から滑って水没する可能性は高い。
【００４９】
また、浴槽の蓋の上に携帯型情報処理端末１０を置いて使用する場合には、蓋に足などを引っ掛ける可能性が高く、その際、蓋の上に置いていた携帯型情報処理端末１０が浴槽２に水没してしまう。
【００５０】
防水型といっても携帯型情報処理端末１０の防水性能はそれほど高くないので、深い浴槽に落下して水没すると浸水する。そのため、多くのユーザは、浴室に持ち込んだ携帯型情報処理端末１０を横長の向きにして浴槽の縁に立て掛けて使用する。
【００５１】
そこで、本実施の形態に係る風呂給湯器アプリは、風呂給湯器アプリがフォアグラウンドで動作中の携帯型情報処理端末１０が横長の姿勢になった場合に、当該携帯型情報処理端末１０がたとえ浴室で使用されていなくても、浴室で使用されていると判定する。
【００５２】
風呂給湯器アプリによって風呂給湯器リモートコントローラとして動作中の携帯型情報処理端末１０は、ひとたび優先権を取得すると、その後、風呂給湯器アプリがバックグラウンドで動作する状態になっても、自端末が縦長の姿勢に変化しても、優先権を保持し続ける。
【００５３】
携帯型情報処理端末１０でインターネットを行う場合など他のアプリケーションを起動する場合、風呂給湯器アプリはバックグラウンドに移行する。また、インターネットを行う場合などにユーザは携帯型情報処理端末１０を縦長の姿勢にして手に持って操作する。また、風呂給湯器５の各種の設定変更操作を行う際にもユーザは携帯型情報処理端末１０を縦長の姿勢にして手に持って操作する場合もある。そのため、風呂給湯器アプリはバックグラウンドになったり、風呂給湯器アプリが動作中の携帯型情報処理端末１０が縦長の姿勢に変化したりした場合に、優先権を解除すると、携帯型情報処理端末１０が浴室内にあるにもかかわらず、他の風呂給湯器リモートコントローラからの操作で給湯設定温度が変更されてしまう恐れがある。
【００５４】
そこで、風呂給湯器アプリは、優先権を保持しているときに、風呂給湯器アプリがバックグラウンドに移行したり、携帯型情報処理端末１０が縦長の姿勢にされたりしても、優先権を解除せずに保持し続ける。
【００５５】
優先権の解除は、優先権を保持しているときに風呂給湯器アプリを閉じる操作を受けたとき、もしくは、優先権を保持しているときに優先権の解除の操作(優先切替ボタン４６の押下操作)を受け付けたときに行う。風呂給湯器アプリによって風呂給湯器リモコンとして動作中の携帯型情報処理端末１０を使用していたユーザは、通常、入浴を終えて浴室から出ると、携帯型情報処理端末１０を風呂給湯器リモコンとして動作させる必要がなくなるので、風呂給湯器アプリを閉じる操作を行う。そこで、この操作を受けた場合は優先権を解除する。
【００５６】
一方、入浴を終えたユーザが、その後、台所等に移動して、携帯型情報処理端末１０を風呂給湯器リモコン（従来の台所リモコン）として使い続ける場合も考えられる。このような場合、少なくとも別の者が入浴するときは、優先権を解除できるようにする必要がある。そこで、ユーザの操作で優先権を任意のタイミングで解除できるようになっている。
【００５７】
入浴を終えたユーザがそのまま風呂給湯器アプリを閉じるのを忘れたり、優先権を解除するのを忘れたりすると、別のユーザが入浴するときに携帯型情報処理端末１０を横長の姿勢にしても優先権を取得できずに困ってしまう。
【００５８】
そこで、優先権を保持しているときに、他の風呂給湯器リモートコントローラが優先権を取得しようとした場合には、優先権を保持している携帯型情報処理端末１０の表示部１６にその旨を表示等して、ユーザに不必要な優先権の解除を促す警告を行う。警告音を発してもよい。
【００５９】
たとえば図５に示すように、情報表示エリア４１に警告メッセージが表示される。これに気付いたユーザは、優先権を解除する操作を行う。たとえば、警告メッセージと共に表示された優先権を解除するためのボタンを押下する（図５の「はい」ボタン４９）、あるいは、優先切替ボタン４６を押下する、あるいは、風呂給湯器アプリを閉じることによって優先権を解除することができる。
【００６０】
一方、優先権を取得しようとしたが、他の風呂給湯器リモコンが優先権を保持しているために優先権を取得できなった携帯型情報処理端末１０においては、たとえば、図６に示すように、優先権を取れなかった理由等を示すメッセージが情報表示エリア４１に表示される。これにより、ユーザは優先権を取得できなかったことやその理由を知ることができる。他の携帯型情報処理端末１０が優先権を保持していることを知ったユーザは、たとえば、通話ボタン４８を押下すると他の風呂給湯器リモコンのユーザと通話が可能になるので、該通話にて優先権を解除するように依頼することができる。
【００６１】
図７は、優先権の取得に関して風呂給湯器アプリが行う制御を示す流れ図である。この処理は、優先権を保持していないときに行われる。風呂給湯器アプリがフォアグラウンドで動作中に（ステップＳ１０１;Ｙｅｓ）、自端末（当該風呂給湯器アプリが動作中の携帯型情報処理端末１０）が横長の姿勢に変化したならば（ステップＳ１０２;Ｙｅｓ）、風呂給湯器５に対して優先権の取得を要求する（ステップＳ１０３）。
【００６２】
該要求に対して風呂給湯器５から優先権の取得に成功した旨の応答を受けたら（ステップＳ１０４;Ｙｅｓ）、優先権を保持していることを示す表示（優先表示）を行い、給湯設定温度の設定変更の操作をユーザから受け付ける状態に移行して（ステップＳ１０５）、本処理を終了する。
【００６３】
優先権の取得の要求に対して風呂給湯器５から受けた応答が優先権の取得成功でなければ（ステップＳ１０４;Ｎｏ）、優先権の取得に失敗した旨の表示（たとえば、図６のような表示）を行って（ステップＳ１０６）、ステップＳ１０１に戻る。
【００６４】
図８は、優先権を保持しているときに風呂給湯器アプリが行う制御を示す流れ図である。優先権を保持しているときは、風呂給湯器アプリがバックグラウンドで動作する状態に変化しても、自端末が縦長の姿勢になっても優先権の保持を継続する（ステップＳ２０１）。
【００６５】
他の風呂給湯器リモコンが優先権の取得を要求しているときは（ステップＳ２０２;Ｙｅｓ）、図５に示すような警告メッセージを表示してステップＳ２０３）、ステップＳ２０４に移行する。ここでは、他の風呂給湯器リモコンが優先権を取得しようとしていることが風呂給湯器５から通知される。
【００６６】
他の風呂給湯器リモコンが優先権の取得を要求していないときは（ステップＳ２０２;Ｎｏ）、ステップＳ２０４に移行する。
【００６７】
ステップＳ２０４では、優先権の解除の操作を受けたか否かを判定する。優先権の解除の操作を受けた場合は（ステップＳ２０４;Ｙｅｓ）、優先権を解除して（ステップＳ２０６）本処理を終了する。ここでは、優先権の解除の通知を風呂給湯器５に送信する。
【００６８】
優先権の解除の操作を受けない場合は（ステップＳ２０４;Ｎｏ）、風呂給湯器アプリを閉じる操作を受けたか否かを判定する（ステップＳ２０５）。閉じる操作を受けた場合は（ステップＳ２０５;Ｙｅｓ）、優先権を解除し（ステップＳ２０６）本処理を終了し、当該風呂給湯器アプリケーションを閉じる。閉じる操作を受けない場合は（ステップＳ２０５;Ｎｏ）、ステップＳ２０１に戻って処理を継続する。
【００６９】
図９は、優先権の設定・解除に関する風呂給湯器５の動作を示す流れ図である。いずれかの風呂給湯器リモコンから優先権の取得の要求を受信したときは（ステップＳ３０１;Ｙｅｓ）、既に、いずれかの風呂給湯器リモコンに優先権を設定済みか否かを判定する（ステップＳ３０２）。
【００７０】
優先権を設定済みでなければ（ステップＳ３０２;Ｎｏ）。優先権の取得の要求元の風呂給湯器リモコンに優先権を設定する(ステップＳ３０６)。また、優先権の取得の要求元の風呂給湯器リモコンに対して、優先権の取得に成功した旨を通知して（ステップＳ３０７）、ステップＳ３０１に戻る。
【００７１】
優先権が設定済みならば（ステップＳ３０２;Ｙｅｓ）、優先権を保持している風呂給湯器リモコンに対して、他の風呂給湯器リモコンが優先権の取得を要求している旨を通知する(ステップＳ３０３)。この通知から所定時間内に、優先権を解除する通知を受けた場合は(ステップＳ３０４;Ｙｅｓ)、優先権の取得の要求元の風呂給湯器リモコンに優先権を設定する(ステップＳ３０６)。また、優先権の取得の要求元の風呂給湯器リモコンに対して、優先権の取得に成功した旨を通知して（ステップＳ３０７）、ステップＳ３０１に戻る。
【００７２】
ステップＳ３０３の通知から所定時間内に優先権を解除する通知を受けない場合は(ステップＳ３０４;Ｎｏ)、優先権の取得の要求元の風呂給湯器リモコンに対して、優先権の取得に失敗した旨を通知して（ステップＳ３０５）、ステップＳ３０１に戻る。
【００７３】
優先権の取得の要求を受信しない場合は（ステップＳ３０１;Ｎｏ)、風呂給湯器リモコンから優先権の解除の通知を受信したか否かを判定する（ステップＳ３０８）、優先権の解除の通知を受信した場合は（ステップＳ３０８;Ｙｅｓ）、優先権の設定を解除して（ステップＳ３０９）、ステップＳ３０１に戻る。優先権の解除の通知を受信しない場合は（ステップＳ３０８;Ｎｏ）、ステップＳ３０１に戻る。
【００７４】
なお、風呂給湯器５は、いずれかの風呂給湯器リモコンに優先権を設定しているときは、その優先権を保持している風呂給湯器リモコンからのみ給湯設定温度の設定変更を受け付ける。一方、風呂給湯器５は、どの風呂給湯器リモコンにも優先権を設定していない場合には、すべての風呂給湯器リモコンから給湯設定温度の設定変更を受け付ける。
【００７５】
風呂給湯器５は、風呂給湯器アプリが動作中の携帯型情報処理端末１０が１台もなくなり、接続している風呂給湯器リモコンがない場合は、それ以前の最後に設定された状態で動作する。たとえば、最後に設定された給湯設定温度を維持して給湯動作を行う。あるいは、予め登録してあるデフォルトの設定値（たとえば、給湯設定温度４０℃）で動作する。
【００７６】
なお、台所の壁等に取り付ける専用の風呂給湯器リモコンを１台は設置するようにしてもよい。この場合、風呂給湯器アプリによって風呂給湯器リモコンとして動作しているすべての携帯型情報処理端末１０が優先権を保持していないときは、専用の風呂給湯器リモコンが優先権を保持するように動作し、専用の風呂給湯器リモコンが優先権を保持しているときに他の風呂給湯器リモコンから優先権の取得が要求されたら、ただちに優先権を解除し、要求元の風呂給湯器リモコンに優先権を設定する。
【００７７】
専用の風呂給湯器リモコンを設ける構成では、図９に示す処理は、風呂給湯器５の代わりに専用の風呂給湯器リモコンが行ってもよい。この場合、風呂給湯器アプリによって風呂給湯器リモコンとして動作するすべての携帯型情報処理端末１０は専用の風呂給湯器リモコンに接続され、該専用の風呂給湯器リモコンがマスタになって風呂給湯器５に対して給湯設定温度やその他の設定内容を指示するように構成すればよい。
【００７８】
また、風呂給湯器アプリによって風呂給湯器リモコンとして動作している携帯型情報処理端末１０の中のいずれかがマスタになって、あるいは互いが共同して、優先権の設定・解除に関する制御を行うように構成されてもよい。
【００７９】
以上のように本発明に係る風呂給湯器システム４では、風呂給湯器アプリがフォアグラウンドで動作中の携帯型情報処理端末１０が横長の姿勢になった場合に、該携帯型情報処理端末１０が浴室で使用されていると判定し、給湯設定温度を排他的に設定する優先権を該携帯型情報処理端末１０に設定するので、浴室で使用される携帯型情報処理端末１０に優先権を適切に設定することができる。
【００８０】
また、優先権の取得後は、縦長の姿勢になっても、風呂給湯器アプリがバックグラウンドで動作する状態になっても、優先権を保持し続けるので、ユーザが携帯型情報処理端末１０で他のアプリを起動したりインターネットを楽しんだりしている状態においても優先権が保持され、他の風呂給湯器リモコンで給湯設定温度が変更されて、高温のシャワーを浴びてしまう、といった事態を防止することができる。
【００８１】
さらに、いずれかの風呂給湯器リモコンが優先権を保持しているときに、他の風呂給湯器リモコンが優先権の取得を要求した場合は、優先権を保持している風呂給湯器リモコンに対して他の風呂給湯器リモコンが優先権の取得を要求している旨を警告するので、浴室を出ても優先権を不必要に保持しているような場合に、該警告によって優先権の解除を促すことができる。
【００８２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８３】
実施の形態では、風呂給湯器アプリがフォアグラウンドで動作中に携帯型情報処理端末１０が横長の姿勢になった場合に、浴室にあると判定して優先権を取得するようにしたが、浴室にあることを判定するための条件として、さらに別の条件を付加してもよい。たとえば、湿度、温度、音（たとえば、シャワーの音）などが浴室内の特徴を呈することを条件に加えてもよい。また、風呂給湯器を操作するタブレットアプリについて説明を行ったが、給湯暖房機、給湯単能器のリモコン等、優先権が必要な機器で用いてもかまわない。
【００８４】
また、風呂の自動運転中か否かをさらに判定要素に加えてもよい。たとえば、風呂給湯器アプリがフォアグラウンドで動作中、かつ風呂の自動運転中、かつ携帯型情報処理端末１０が横長の姿勢となった場合に、携帯型情報処理端末１０が浴室にあると判定して優先権を取得するようにしてもよい。また、優先権の解除を、風呂の自動運転がオフになった場合に行うようにしてもよい。
【００８５】
また、姿勢検出は、ジャイロ（3軸角速度センサ）ではなく3軸加速度センサ、3軸地磁気センサを用いても良いし、組み合わせて精度をあげるようにしても良い。
【符号の説明】
【００８６】
２…浴槽
３…出湯栓
４…風呂給湯器システム
５…風呂給湯器
１０…携帯型情報処理端末
１１…ＣＰＵ
１２…ＲＯＭ
１３…ＲＡＭ
１４…不揮発メモリ
１５…操作部
１５ａ…タッチパネル
１６…表示部
１７…通信部
１８…姿勢検出部
１９…音声入出力部
３０…第１リモコン画面
３１…情報表示エリア
３２…自動ボタン
３３…上下ボタン
３４…運転ボタン
３５…おいだきボタン
３６…通話ボタン
４０…第２リモコン画面
４１…情報表示エリア
４２…自動ボタン
４３…上下ボタン
４４…運転ボタン
４５…おいだきボタン
４６…優先切替ボタン
４８…通話ボタン
４９…はいボタン
【図１】
0006449712.tif 000002
【図２】
0006449712.tif 000003
【図３】
0006449712.tif 000004
【図４】
0006449712.tif 000005
【図５】
0006449712.tif 000006
【図６】
0006449712.tif 000007
【図７】
0006449712.tif 000008
【図８】
0006449712.tif 000009
【図９】
0006449712.tif 000010